(57)【要約】  本発明は、内部に照明システムを備え、狭幅の部分（１２）に人体用気候順応システムの水噴霧ノズルを取り付けるための構成を有する所与の幾何形状の本体、および、前記システムの構成部品を収容するための台座（１４）を有する情報表示用設備（１）に関する。情報表示用設備（１）の右側面部分（１０）および左側面部分（１０’）は、情報表示装置（１１）を取り付けるための構成を備えている。
2005513534.tif 000002
【特許請求の範囲】
【請求項１】
人体用気候順応システムを収容してなる情報表示用設備であって、
所与の幾何形状の右側面部分（１０）および左側面部分（１０’）、
前記側面部分（１０）および（１０’）とともに閉じた構造をもたらし、人体用気候順応システムの噴霧ノズルの取り付けのための構成を有している２つのより幅の狭い部分（１２）、
右側面部分（１０）および左側面部分（１０’）の形状と同様の形状を有し、情報を表示するため、電気自発光または電気自発光でないデジタル表示装置を備えた電子モジュールを収容した上部部分（１９）、
前記設備のシステムを、システムの動作を所定の時間可能にする或る装置によって動作させる機構（２０）、および
所与の幾何形状を有する台座（１４）
からなることを特徴とする設備。
【請求項２】
右側面部分（１０）および／または左側面部分（１０’）が、情報表示装置（１１）を取り付けるための構成を備えていることを特徴とする請求項１に記載の設備。
【請求項３】
側面部分（１０および１０’）のために照明を提供する照明システム（バックライト）を、内部に備えることを特徴とする請求項１に記載の設備。
【請求項４】
さらに、気候順応システムの噴霧に照明を加えるため、色つきまたは色なしの装飾光源一式を取り付けるための構成を内部に備えることを特徴とする請求項３に記載の設備。
【請求項５】
狭幅部分（１２）が、対話型音響システム（１６）、芳香および／または香水投与システム、および／または化粧用製品投与システムを取り付けるための構成を備えていることを特徴とする請求項１に記載の設備。
【請求項６】
機構（２０）が、硬貨受け付け装置、スマート・カードまたは前払い動作装置からなることを特徴とする請求項１に記載の設備。
【発明の詳細な説明】
【技術分野】
【０００１】
本発明は、広くは視覚的な広告を表示するための装置に関し、詳細には、広告であるか否かにかかわらず情報を表示するための設備であって、とくに熱帯および亜熱帯諸国で使用するための霧状水による人体用気候順応システム、および対話型システム、ならびに香水投与システムを取り付けるための構成を備えている設備に関する。さらに、設備の人体用気候順応システムおよび香水投与システムを所定の時間動作させるための起動機構であって、硬貨受け付け器やスマート・カードなどによる起動機構が設けられる。さらに、本発明による表示用設備は、公共の場所において、例えば、日射病および熱衝撃を防止し、観光情報および一般的情報を表示し、一側面に広告メッセージを収容することができる機能的小型工作物として使用される。
【背景技術】
【０００２】
広告情報あるいは広告以外の情報を掲示する目的のパネルを備え、照明システムを備え、あるいは備えていない広告表示のための装置が、この技術分野において公知である。一般に、そのようなパネルは、基部、および、表示しようとする広告および／または情報を掲示するための部位を有している。
【０００３】
一方、今日では、特殊なノズルで水を微細な水滴へと噴霧することによる閉鎖環境用または開放環境用の気候順応システムが公知である。そのようなシステムによれば、中央空調設備の助けを借りることなく冷房が可能である。この原理そのものが、人体の気候への順応を例えばシャワーなどのように水にどっぷりと浸ることによる不快さを避けつつ行なうために、本発明において利用される。
【０００４】
上記の点から、前記人体用気候順応システムが取り付け可能であり、同時に、側面に情報を表示するための場所を提供できるパネルまたは同様の装置を生み出したいという要望がある。さらに、そのようなパネルには、設備の人体用気候順応システムおよび香水投与システムのための起動機構であって、硬貨受け付け器やスマート・カードなどによって、これらのシステムを所定の時間動作可能にする起動機構が設けられる。
【発明の開示】
【発明が解決しようとする課題】
【０００５】
したがって、本発明の目的は、広告あるいはその他の情報表示用設備であって、霧状水による人体用気候順応システムを取り付けるための構成を備えた情報表示用設備を提供することにある。
【０００６】
本発明のさらなる目的は、広告あるいはその他の情報表示用設備であって、霧状水による人体用気候順応システムを取り付けるための構成を備え、背後照明（バックライト）を有する透明パネルに、情報を動く、あるいは動かないやり方で表示するための場所を備えた情報表示用設備を提供することにある。
【０００７】
本発明のさらなる目的は、広告あるいはその他の情報表示用設備であって、霧状水による人体用気候順応システムを取り付けるための構成を備え、霧状化ノズルと一緒に動作する装飾ライト一式を備えた情報表示用設備を提供することにある。この場合、本発明の情報表示用設備を、庭および／またはプール、さらにはベランダで家具として使用できる。
【０００８】
本発明のさらなる目的は、広告あるいはその他の情報表示用設備であって、水噴霧による人体用気候順応システムを取り付けるための構成を備え、さらに、構造の内部に、広告またはその他のメッセージあるいは音楽を伝達することができる対話型音響システムが組み込まれてなる情報表示用設備を提供することにある。
【０００９】
本発明のさらなる目的は、広告あるいはその他の情報表示用設備であって、水噴霧による人体用気候順応システムを取り付けるための構成を備え、さらに、芳香および／または香水投与システム、あるいは化粧用製品全般の投与システムを備えた情報表示用設備を提供することにある。
【００１０】
本発明のさらなる目的は、水噴霧による人体用気候順応システムを取り付けるための構成を有する広告あるいはその他の情報表示用設備であって、上部に電子モジュールおよび電気自発光あるいはその他のデジタル表示装置を備えることができ、前記モジュールが、時刻、気温、大気環境、および／または広告メッセージなどの一般的情報を、固定あるいは流れるようなやり方でデジタル表示装置に表示することができる情報表示用設備を提供することにある。前記情報表示用設備に収容された人体用気候順応システムおよび香水投与システムを、硬貨受け付け器やスマート・カードなどによる設備のシステムの起動機構（設備に内蔵または外付け）によって、所定の時間動作させることができる。
【００１１】
以下、添付の図面を参照しつつ本発明を詳細に説明するが、あくまで、添付の図面は本発明を説明するためのものであり、本発明を限定するものではない。
【発明を実施するための最良の形態】
【００１２】
以下、添付の図面を参照しつつ本発明を詳細に説明するが、これら図面において、本発明による情報表示用設備は、参照番号１で示されている。
【００１３】
図１、２、３、および４を参照すると、本発明による情報表示用設備は、上端、下端、および両側端を備える所与の形状（図面においては、一例として、ほぼ楕円形である凸状の形状が示されているが、形状は本発明を限定する特徴ではない）の右側面パネル１０を有している。左側面パネル１０’は、右側面パネル１０と同様である。両側面パネルは、広告および情報提示目的の文字を表示する情報表示装置１１を取り付けるための構成を有している。このような情報表示装置１１は、情報を伝達するための固定または可動の任意の装置であってよい。情報表示装置１１は、夜間の視認性確保および美観上の目的で、内部に照明手段を有している。そのような手段は、この技術分野で公知の任意の照明手段からなることができる。
【００１４】
側面パネル１０、１０’の上方には、同様に側面パネル１９ａ、１９ｂ（図には示されていない）から構成される上部１９が、デジタル表示装置を備えた電子モジュールを収容する目的で設けられている。デジタル表示装置は、自発光であってもなくてもよく、電子モジュールは、時刻、気温、大気環境、および／または広告あるいはその他のメッセージなど公衆に便利な情報を、デジタル表示装置に流れるように、あるいは流れないように表示して伝達する。
【００１５】
図３によりよく示されているように、本発明による設備は、設備の両端に位置する２枚のより幅の狭いパネル１２を備えている。これら狭幅のパネル１２は、設備の両端において側面パネル１０および１０’の間を閉じるとともに、図示の人体用気候順応システムの噴霧ノズル１５を収容するという２つの機能を有している。前記狭幅パネル１２は、さらに、参照番号１６で広く示されておりメッセージや音楽を伝えることができる対話型音響システムを収容することができる。さらに、前記狭幅パネル１２に、芳香および／または香水投与システム、あるいは化粧用製品全般の投与システムを設けることもできる。
【００１６】
さらに本発明による情報表示用設備は、設備が備える人体用気候順応システムおよび芳香適用システムを所定の時間動作させるため、起動機構２０を取り付けるための構成を有している。機構２０は、図では狭幅パネル１２に取り付けられているが、本発明の目的に影響することなくその他の場所や内部に取り付けることもでき、前記各システムを所定の時間動作させる硬貨受け付け器やスマート・カード受け付け器などを備えることができる。
【００１７】
設備の上部には、設備の上部を封じ、設備に適切な仕上げを付与するため、カバー１３が設けられている。
【００１８】
本発明による設備の下部には、やはり所与の任意の幾何形状（図には、ほぼ楕円形の形状が示してある）を有する台座１４が設けられており、本発明による設備の組立体を保持し、人体用気候順応システムの構成部品（例えば、電磁弁、加圧器、赤外線式の接触器またはセンサ、電子式動作制御器、タイマー、など）を収容可能にしている。さらに、台座１４は、設備そのものを保持するほか、凝縮した水が溜まることがないよう傾斜を備えている。
【００１９】
情報の表示は、側面パネルに設置された特定の接着剤によって行なうことができる。
【００２０】
本発明による設備の製造に使用される材料には、市販されている任意の材料、すなわち、ガラス繊維、ブラッシュ・アルミまたは光沢研磨アルミ、ポリプロピレン、ポリスチレンなどがある。
【図面の簡単な説明】
【００２１】
【図１】図１は、本発明による情報表示用設備の斜視図である。
【図２】図２は、本発明による情報表示用設備の側面図であり、もう一方の側面もこれと同一である。
【図３】図３は、本発明による情報表示用設備の正面図である。
【図４】図４は、本発明による情報表示用設備の上面図である。
【図１】
2005513534.tif 000003
【図２】
2005513534.tif 000004
【図４】
2005513534.tif 000005
【図３】
2005513534.tif 000006
【国際調査報告】
2005513534.tif 000007
2005513534.tif 000008